(57)【特許請求の範囲】
【請求項１】
走行装置（２）の上方位置に脱穀装置（３）を設け、該脱穀装置（３）の前側に刈取部（４）を設け、前記脱穀装置（３）の側部に設けたグレンタンク（５）の前側に操縦部（６）を設け、前記刈取部（４）は、左右に複数並設した最前方位置の分草体（１１）と、該分草体（１１）の後方に設けた引起装置（１２）と、刈刃（１４）とを有し、前記分草体（１１）は、前後方向の反転用軸（３４）中心に、分草体（１１）の先端部（２２）が下方に分草面（２３）が上方に位置する分草作用位置と、分草面（２３）が下方に先端部（２２）が上方であって所定高さに位置する反転位置との間移動自在に構成し、前記分草体（１１）には側面視逆Ｌ型形状の反転用アーム（３０）の先端を固定し、反転用アーム（３０）の基部には左右方向の横筒（３１）を固定し、横筒（３１）は左右方向の横軸（３２）に嵌合させ、横軸（３２）は前後方向の取付用筒（３３）に固定し、取付用筒（３３）は前後方向の反転用軸（３４）に挿入固定し、反転用軸（３４）は軸受部材（３６）に回転のみ自在に挿入し、軸受部材（３６）は取付金具（３７）に固定し、取付金具（３７）はボルト等の止着具により分草杆（２１）に固定したステー（３５）に着脱自在に取付け、前記反転用アーム（３０）の長さおよび反転用軸（３４）の位置を、分草体（１１）を反転させたときに分草体（１１）あるいは反転用アーム（３０）が畦（２４）に接触しない高さに位置するように設定し、前記横軸（３２）側と横筒（３１）側の夫々に爪体（３８ａ）、（３８ｂ）を設け、横筒（３１）の爪体（３８ｂ）をバネ（３８ｃ）で横軸（３２）の爪体（３８ａ）に押し付け、分草体（１１）に所定以上の圧力が係ると、横筒（３１）が横軸（３２）に対して回転し、分草体（１１）が横軸（３２）中心に前後方向に回動する構成とし、前記反転用軸（３４）は正面視で分草作用状態の分草体（１１）の後方に重合させて位置させ、前記分草体（１１）の回転方向を、前記反転用軸（３４）を基準として前記引起装置（１２）の引起ラグ（２５）の引起作用側とは反対側の引起ケース（４４）の外側を回転移動する構成とし、前記反転用軸（３４）は前記引起装置（１２）の引起ケース（４４）に対して略直交させて配置し、前記反転用軸（３４）と軸受部材（３６）の取付部分は引起装置（１２）の移動軌跡下端での引起ラグ（２５）の先端よりも上方に配置し、前記分草体（１１）を反転用軸（３４）中心に反転させたとき、前記操縦部（６）から分草体（１１）の先端部（２２）または分草面（２３）の何れかの部分が見える構成とし、前記反転用軸（３４）の後端は前記軸受部材（３６）の後端より後方に突出させ、前記反転用軸（３４）の後端には前記分草体（１１）を前記取付用筒（３３）中心に回転させる回転作動手段（５１）を設け、該回転作動手段（５１）は、前記反転用軸（３４）の後端に入力ギヤ（５２）を固定し、該入力ギヤ（５２）に出力ギヤ（５３）を噛み合わせ、出力ギヤ（５３）の偏心位置にロッド（５４）の下端を取付け、ロッド（５４）の上端にアーム（５５）の先端を取付け、アーム（５５）の基部を取付軸（５６）により刈取部（４）の任意の固定部に取付け、前記取付軸（５６）に操作レバー（５７）を取付け、該操作レバー（５７）は、数段階に操作可能な構成とし、該操作レバー（５７）は、前記刈取部（４）のフレーム５８に設けた反転用アーム（５５）に設けて操縦部（６）より操作可能な構成としたことを特徴とするコンバイン。
【発明の詳細な説明】
【０００１】
【産業上の利用分野】
本発明は、コンバイン等の刈取部に係るものである。
【０００２】
【従来技術】
従来公知の、特開平５−２９２８２８号公報には、分草作用位置にある分草体を、引起装置の前側上方に移動させる構成について記載されている。
また、特開平７−２５５２４９号公報には、分草作用位置にある分草体を、引起装置の前側上方に平行移動させる構成について記載されている。
また、特開平７−２９８７５４号公報には、分草作用位置にある分草体を、反転用軸中心に反転させる構成について記載されている。
また、特開昭６３−８５０４２号公報には、分草作用位置にある分草体を、反転用軸中心に回動させる構成について記載されている。
【０００３】
【発明が解決しようとする課題】
前記公知例のうち特開平５−２９２８２８号公報に記載されたものは、分草杆を分草体ごと上動させる構成のため、刈取部のフレーム全てを変形させる必要があり、構成が複雑でコストが高くなるという課題がある。
また、特開平７−２５５２４９号公報に記載されたものは、分草作用位置にある分草体を、引起装置の前側上方に平行移動させる構成のため、引起装置の前側部分の上動機構に穀稈が絡むという課題がある。
また、特開平７−２９８７５４号公報に記載されたものは、分草作用位置にある分草体を、反転用軸中心に反転させる構成であるが、反転させて尖った先端部を上方に位置させて路上走行するものであり、畦に引起装置を近づけることはできないという課題がある。
また、特開昭６３−８５０４２号公報に記載されたものは、単に分草作用位置にある分草体を、反転用軸中心に回動させる構成なため、分草体の分草面の位置が左右に変化するだけであり、畦に引起装置を近づけることはできないという課題がある。
即ち、畦付近の穀稈は、前方に突き出る分草体により刈取部が畦に近づけないので、刈取ることができないが、分草体を引起装置の前側所定位置より移動させると、畦に刈取部（引起装置および刈刃）を近づけて刈取ることができる。
そこで、簡単な構成で分草体を移動させて、畦に引起装置を近づけられるようにしたものであり、特に、確実に操作できるようにしたものである。
【０００４】
【発明の目的】
畦付近の穀稈の刈取り作業の実現、分草体の移動機構の簡素化、作業および操作の容易性の向上、コストの削減。
【０００５】
【課題を解決するための手段】
本発明は、走行装置２の上方位置に脱穀装置３を設け、該脱穀装置３の前側に刈取部４を設け、前記脱穀装置３の側部に設けたグレンタンク５の前側に操縦部６を設け、前記刈取部４は、左右に複数並設した最前方位置の分草体１１と、該分草体１１の後方に設けた引起装置１２と、刈刃１４とを有し、前記分草体１１は、前後方向の反転用軸３４中心に、分草体１１の先端部２２が下方に分草面２３が上方に位置する分草作用位置と、分草面２３が下方に先端部２２が上方であって所定高さに位置する反転位置との間移動自在に構成し、前記分草体１１には側面視逆Ｌ型形状の反転用アーム３０の先端を固定し、反転用アーム３０の基部には左右方向の横筒３１を固定し、横筒３１は左右方向の横軸３２に嵌合させ、横軸３２は前後方向の取付用筒３３に固定し、取付用筒３３は前後方向の反転用軸３４に挿入固定し、反転用軸３４は軸受部材３６に回転のみ自在に挿入し、軸受部材３６は取付金具３７に固定し、取付金具３７はボルト等の止着具により分草杆２１に固定したステー３５に着脱自在に取付け、前記反転用アーム３０の長さおよび反転用軸３４の位置を、分草体１１を反転させたときに分草体１１あるいは反転用アーム３０が畦２４に接触しない高さに位置するように設定し、前記横軸３２側と横筒３１側の夫々に爪体３８ａ、３８ｂを設け、横筒３１の爪体３８ｂをバネ３８ｃで横軸３２の爪体３８ａに押し付け、分草体１１に所定以上の圧力が係ると、横筒３１が横軸３２に対して回転し、分草体１１が横軸３２中心に前後方向に回動する構成とし、前記反転用軸３４は正面視で分草作用状態の分草体１１の後方に重合させて位置させ、前記分草体１１の回転方向を、前記反転用軸３４を基準として前記引起装置１２の引起ラグ２５の引起作用側とは反対側の引起ケース４４の外側を回転移動する構成とし、前記反転用軸３４は前記引起装置１２の引起ケース４４に対して略直交させて配置し、前記反転用軸３４と軸受部材３６の取付部分は引起装置１２の移動軌跡下端での引起ラグ２５の先端よりも上方に配置し、前記分草体１１を反転用軸３４中心に反転させたとき、前記操縦部６から分草体１１の先端部２２または分草面２３の何れかの部分が見える構成とし、前記反転用軸３４の後端は前記軸受部材３６の後端より後方に突出させ、前記反転用軸３４の後端には前記分草体１１を前記取付用筒３３中心に回転させる回転作動手段５１を設け、該回転作動手段５１は、前記反転用軸３４の後端に入力ギヤ５２を固定し、該入力ギヤ５２に出力ギヤ５３を噛み合わせ、出力ギヤ５３の偏心位置にロッド５４の下端を取付け、ロッド５４の上端にアーム５５の先端を取付け、アーム５５の基部を取付軸５６により刈取部４の任意の固定部に取付け、前記取付軸５６に操作レバー５７を取付け、該操作レバー５７は、数段階に操作可能な構成とし、該操作レバー５７は、前記刈取部４のフレーム５８に設けた反転用アーム５５に設けて操縦部６より操作可能な構成としたことを特徴とするコンバインとしたものである。
【０００６】
【実施例】
本発明の実施例を図により説明すると、１は機体フレーム、２は該機体フレーム１の下方位置に設けた走行装置、３は機体フレーム１の上方位置に設けた脱穀装置、４は脱穀装置３の前側に設けた刈取部、５はグレンタンク、６は操縦部である。
該刈取部４は、前記機体フレーム１側に設けた支持台７に前方に伸びる縦支持フレーム８の基部を回動自在に取付け、縦支持フレーム８には刈取上下シリンダ９を取付けて上下動自在に構成する。
刈取部４は、最前方位置に分草体１１を設け、分草体１１の後側に引起装置１２を設け、引起装置１２の後側に掻込装置１３を設け、掻込装置１３の下方に刈刃１４を設け、刈刃１４の後側に切断した穀稈を搬送する搬送装置１５を設けて構成している。１６はスターホイルである。
しかして、前記縦支持フレーム８の先端に左右方向の下部伝動横筒２０を設け、下部伝動横筒２０には左右に所定に間隔を置いて複数の分草杆２１の基部を固定し、各分草杆２１の先端側には分草体１１を夫々設ける。
複数の分草体１１のうち、一部または全部の分草体１１は、上下反転自在に設ける。
【０００７】
即ち、分草体１１は側面視先鋭形状の先端部２２より後方に至るに従い高くなるように傾斜する分草面２３を形成し、分草面２３は上方に至るに従い幅が広くなる正面視三角形状に形成し、この分草体１１を先端部２２が上に分草面２３が下になるように逆さに反転させ、前記引起装置１２および刈刃１４を圃場の畦２４に接近させるように構成する。
したがって、分草体１１の先端部２２から引起装置１２の引起ラグ２５までの距離Ｌより、分草体１１を反転させることにより分草面２３から引起ラグ２５までの距離Ｋが短くなるように構成する。
実施例では、左右何れか一方または両方および中間の分草体１１を上下反転自在に構成している。
【０００８】
分草体１１には、側面視逆Ｌ型形状の反転用アーム３０の先端を固定し、反転用アーム３０の基部には左右方向の横筒３１を固定し、横筒３１は左右方向の横軸３２に嵌合させる。横軸３２は前後方向の取付用筒３３に固定し、取付用筒３３は前後方向の反転用軸３４に挿入固定し、反転用軸３４は軸受部材３６に回転のみ自在に挿入し、軸受部材３６は取付金具３７に固定し、取付金具３７はボルト等の止着具により分草杆２１に固定したステー３５に着脱自在に取付ける。
したがって、分草体１１は取付用筒３３を反転用軸３４ごと軸受部材３６に対して回転させることにより反転させている。
この場合、分草体１１は反転用アーム３０の長さを半径にして反転用軸３４を中心に回転するから、反転用アーム３０の長さおよび反転用軸３４の位置を、反転させたとき分草体１１あるいは反転用軸３４に取付ける反転用アーム３０等が畦２４に接触しない高さに位置するように設定する。
【０００９】
しかして、前記反転用アーム３０の基部の横筒３１と左右方向の横軸３２とは、互いにキー３８とキー溝による結合で固定され、分草体１１に所定以上の圧力が係ると、キー３８とキー溝の何れか一方または両方が破損して横筒３１が横軸３２に対して回転し、分草体１１は横軸３２中心に前後方向に回動する。したがって、分草体１１およびその取付構成部品が破損変形するのを防止する。
また、図７は他の実施例であり、横軸３２側と横筒３１側の夫々に爪体３８ａ、３８ｂを設け、横筒３１の爪体３８ｂをバネ３８ｃで横軸３２の爪体３８ａに押し付け、分草体１１に所定以上の圧力が係ると、横筒３１が横軸３２に対して回転し、分草体１１は横軸３２中心に前後方向に回動する。
また、分草体１１は任意構成の分草体ユニットＹとして事前に組立て、これを分草杆２１に取付ける。実施例では、反転用アーム３０と、横筒３１と、横軸３２と、取付用筒３３とを小ユニットとして反転用軸３４に着脱自在に取付けて構成しているが、反転用軸３４と軸受部材３６と取付金具３７までも分草体ユニットＹとして構成し、ボルト等の止着具により分草杆２１に固定したステー３５に着脱自在に取付けて構成しても良い。なお、後述する回転作動手段５１もユニットに含めると、一層組立ておよび着脱を含めてメンテナンスが容易になって、好適である。
【００１０】
しかして、前記分草杆２１は、前記刈刃１４より先側を、少なくとも刈刃１４の部分と略同じ高さに位置させて刈刃１４の前方に空間部４０を形成して穀稈等の詰まりを減少させるが、分草杆２１を前側に至るに従い高くなるように構成すると、空間部４０を大きく（広く）できて、一層穀稈等の詰まりが減少できて好適である。
しかして、分草体１１は前記反転用軸３４中心に回転することにより反転するが、反転用軸３４は正面視作用状態の分草体１１の後方に重合させて位置させ、また、分草体１１の回転方向は前記引起装置１２の引起ケース４４の外側（前記反転用軸３４を基準に反引起ラグ２５側）を回転移動するように構成する。
また、反転用アーム３０は側面視、前記引起装置１２の引起ラグ２５の移動軌跡と重ならないように配置して引起ラグ２５との干渉を防止する。このとき、引起ラグ２５の後側に反転用アーム３０を位置させることも可能であるが（図１０）、引起ラグ２５の前側に反転用アーム３０を位置させると、組み付け等が容易になって、好適である。
【００１１】
しかして、分草体１１は、反転させて引起装置１２および刈刃１４を畦２４に近づけられるようにするので、分草体１１を反転させたとき、元のあった位置より後方に位置するように前記取付用筒３３を設ける。即ち、反転用軸３４は前記引起装置１２の引起ケース４４に対して略直交するように配置して、後側に斜めに倒れた状態に設けられている引起ケース４４に対して側面視反転させると、引起ケース４４と干渉せずに引起装置１２および刈刃１４を畦２４に近づけられる。
また、反転用軸３４と軸受部材３６の取付部分は、引起装置１２の引起ラグ２５の先端より上方に位置させると、反転させたとき、分草体１１は引起装置１２の引起ラグ２５の先端より上方に位置し、刈取部４を畦２４に近づけられ、また、引起ラグ２５の作用への干渉を防止して好適である。
また、分草体１１を反転用軸３４中心に反転させたとき、操縦部６から分草体１１の先端部２２または分草面２３の何れかの部分が見えるように構成する（図１２）。この場合、引起装置１２の下側に設けたローラ４６の中心と刈取部４の側部カバー４７の間に分草体１１を位置させると、反転状態のときでも刈取部４の条合せ操作を容易にする（図１１）。特に、操縦部６の前方となる側の分草体１１を前記のように配置すると、一層、条合せが容易になって好適である。
【００１２】
しかして、分草体１１は、大型分草体１１a と小型分草体１１b を左右方向に交互に配置しているが、このうち、大型分草体１１a を反転させるようにして、刈取部４を畦２４に接近させる距離を稼いでいる（図１４）。
即ち、全ての分草体１１を反転させても良いが、構造が複雑になって、コストが上昇するので、畦２４付近の刈取りに有効な大型分草体１１a を反転させる。
しかして、また、大型分草体１１a のうち、左右の中間位置にある中間分草体１１も反転するように構成すると、刈取部４全体を前進させて畦２４に近づくことができて、好適である。
中間分草体１１は、左右の引起装置１２の引起ケース４４の間に中間分草杆２１を位置させ、該中間分草杆２１の上方にステー３５を設け、該ステー３５に軸受部材３６を固定し、軸受部材３６に反転用軸３４を回転のみ自在に挿入し、軸受部材３６より前側に突出する反転用軸３４に取付用筒３３を挿入固定して取付け、取付用筒３３には下向きの一対のステーを固定し、該ステーに横軸３２により横筒３１を設け、横筒３１に反転用アーム３０の基部を固定する。
【００１３】
しかして、分草体１１は、図１８のように、左回りの回り刈りするときは右側の分草体１１を反転させると、有効であり、また、畦２４際の刈取りでも反転させる（図１９）。
また、図２０のように、反転用軸３４中心に分草体１１を回動させると、先端部２２を左右に移動させることができ、これにより、分草体１１の位置を左右移動させたのと同等の作用を奏する。
しかして、前記反転用軸３４の後端は前記軸受部材３６の後端より後方に突出させ、反転用軸３４の後端には回転作動手段５１を設け、回転作動手段５１により分草体１１は取付用筒３３中心に回転して反転する。
実施例では、回転作動手段５１は、前記反転用軸３４の後端に入力ギヤ５２を固定し、入力ギヤ５２に出力ギヤ５３を噛み合わせ、出力ギヤ５３の偏心位置にロッド５４の下端を取付け、ロッド５４の上端にアーム５５の先端を取付け、アーム５５の基部を取付軸５６により刈取部４の任意の固定部に取付け、前記取付軸５６に操作レバー５７を取付ける。操作レバー５７は、数段階に操作可能に構成し、操作位置を選択することで、分草体１１を反転から復帰位置の間の任意位置に変位させる。
【００１４】
前記操作レバー５７は、実施例では、刈取部４のフレーム５８に設けた反転用アーム５５に設けているが、操縦部６に設けても良い。５９は出力ギヤ５３を支持するステーである。
また、刈取部４のフレーム５８に操作レバー５７を設けた場合は、操作レバー５７を操縦部６より操作可能な位置に設けると、操作性を向上させ、また、操縦部６の他の操作部材のスペースへの干渉および犠牲を減少させて好適である。
また、操作レバー５７は、図１７のように、複数の分草体１１の回転作動手段５１の操作を連動して行う構成だけでなく、個別の分草体１１の回転作動手段５１の夫々に設けてもよい。
なお、図６、図７、図１０、図１２、図１５、図１６の各実施例は、モータ６０により分草体１１の回転作動手段５１を作動させているが、勿論手動操作可能に構成することは可能であり、各図の構成のみに限定されない。
【００１５】
次に作用を述べる。
走行装置２により圃場を走行すると、刈取部４の分草体１１が圃場の穀稈を分草し、分草された穀稈は根元が刈刃１５により切断され、掻込装置１３により掻き込まれ、搬送装置１５により搬送され、引継搬送装置１８により穀稈は穀稈供給装置１９に引継ぎ、穀稈供給装置１９により脱穀装置３に供給して脱穀される。
この場合、分草体１１は、前後方向の反転用軸３４中心に、先端部２２が先端に位置する作用位置と、先端部２２が上方に位置する反転位置との間移動自在に構成しているから、通常は先端部２２を先端に位置させた作用位置として圃場の穀稈を分草し、所定の場合反転させる。
【００１６】
分草体１１は側面視先端部２２より後側に後方に至るに従い高くなるように傾斜する分草面２３を形成し、分草面２３は上方に至るに従い幅が広くなる正面視三角形状に形成しているから、この分草体１１を先端部２２が上に分草面２３が下になるように逆さに反転させると、分草面２３から引起ラグ２５までの距離Ｌが距離Ｋに短くなって、その分畦２４に近づける。
また、畦２４近傍の刈取り時、雑草が引っ掛かるときがあるが、反転させることにより防げる。
また、反転させることにより分草体１１の上面に載っている異物を落下させられる。
以上のように、回り刈りのときには複数ある分草体１１のうち旋回外側の分草体１１を反転させると良く、刈取部４を畦２４に向けて直進状態で前進させる場合は、各分草体１１の全部を反転させると、刈取部４全体を畦２４に近づけることができ、畦２４際の穀稈の刈取りを行える。
【００１７】
この場合、分草体１１は、反転用軸３４中心に反転させたとき、操縦部６から分草体１１の先端部２２または分草面２３の何れかの部分が見えるようにしているから、反転状態のときでも、分草体１１を見ながら刈取部４の条合せ操作可能になって、操作を容易にする。
また、分草体１１は反転させたとき、引起装置１２の下側に設けたローラ４６の中心と刈取部４の側部カバー４７の間に位置させているから、反転状態のときでも刈取部４の条合せ操作を容易にし、特に、操縦部６の前方となる側の分草体１１を前記のように配置すると、一層、条合せが容易になって好適である。
【００１８】
しかして、分草体１１は、大型分草体１１a と小型分草体１１b を左右方向に交互に配置しているが、このうち、大型分草体１１a を反転させるようにして、刈取部４を畦２４に接近させる距離を稼げる。
即ち、全ての分草体１１を反転させても良いが、構造が複雑になって、コストが上昇するので、畦２４付近の刈取りに有効な大型分草体１１a を反転させている。
この場合、分草体１１は側面視先端部２２より後側に後方に至るに従い高くなるように傾斜する分草面２３を形成し、分草面２３は上方に至るに従い幅が広くなる正面視三角形状に形成しているから、この分草体１１を先端部２２が上に分草面２３が下になるように逆さに反転させると、分草面２３から引起ラグ２５までの距離Ｋが短くなって、畦２４に近づける。
【００１９】
しかして、分草体１１は任意構成の分草体ユニットＹとして事前に組立て、これを分草杆２１に取付けるから、組立ておよび着脱を容易にし、メンテナンスも容易にする。
実施例では、反転用アーム３０と、横筒３１と、横軸３２と、取付用筒３３とを小ユニットとして反転用軸３４に着脱自在に取付けて構成しているから、この場合は、取付用筒３３を反転用軸３４に着脱すればよい。即ち、最も破損しやすい分草体１１と反転用アーム３０を小ユニットとして反転用軸３４に着脱自在に取付けているから、最小限の部品交換ですみ、作業が容易になる。
また、反転用アーム３０と、横筒３１と、横軸３２と、取付用筒３３と、反転用軸３４と軸受部材３６と取付金具３７とを分草体ユニットＹとして構成すると、ボルト等の止着具により分草杆２１に固定したステー３５に着脱自在に取付ければよく、最初の組立てが容易になり、また、着脱が容易になって、分草体１１付近のメンテナンスが容易になり好適である。
【００２０】
しかして、前記反転用軸３４の後端は前記軸受部材３６の後端より後方に突出させ、反転用軸３４の後端には回転作動手段５１を設けているから、回転作動手段５１により分草体１１は取付用筒３３中心に回転して反転する。
即ち、回転作動手段５１は、前記反転用軸３４の後端に入力ギヤ５２を固定し、入力ギヤ５２に出力ギヤ５３を噛み合わせ、出力ギヤ５３の偏心位置にロッド５４の下端を取付け、ロッド５４の上端にアーム５５の先端を取付け、アーム５５の基部を取付軸５６により刈取部４の任意の固定部５８に取付け、前記取付軸５６に操作レバー５７を取付けているから、操作レバー５７を操作すると、アーム５５を回動させ、アーム５５はロッド５４を牽引し、ロッド５４は出力ギヤ５３を回転させ、出力ギヤ５３は入力ギヤ５２を介して反転用軸３４を回転させ、分草体１１は取付用筒３３中心に回転して反転する。
したがって、操作レバー５７の操作を操作伝達部材（ロッド）５４を介して操作するから、分草体１１を確実に反転および復帰させ、また、構成が簡単でコストを低くする。
【００２１】
前記操作レバー５７は、実施例では、刈取部４のフレーム５８に設けた反転用アーム５５に設けているが、操縦部６に設けると、一層操作性を向上させる。
しかし、刈取部４のフレーム５８に操作レバー５７を設けた場合でも、操作レバー５７を操縦部６より操作可能な位置に設けると操作性を向上させるだけでなく、操縦部６の他の操作部材のスペースへの干渉および犠牲を減少させて好適である。
また、操作レバー５７は、図１７のように、複数の分草体１１の回転作動手段５１の操作を連動して行う構成にすると、一度の操作で反転・復帰できて操作が容易であるが、個別の分草体１１の回転作動手段５１の夫々に操作レバー５７を設けると、種々の圃場に対応でき、汎用性を向上させる。
しかして、操作レバー５７は、牽引程度を数段階に操作可能に構成しているから、操作位置を選択することで、分草体１１を反転から復帰位置の間の任意所定位置に変更しかつ保持する。また、また、分草体１１の先端部２２を反転用軸３４より内側（中央側）に位置させて、圃場の穀稈位置に合わせることも可能であり、分草作用を高める。また、分草体１１の先端部２２を反転用軸３４より内側（中央側）から外側に変位させると、刈幅を広狭に調節する作用も奏する。
【００２２】
特に、条刈のときは先端部２２を内側にすると、既刈地側にある切り藁または放出藁を分草体１１が押していくのを防止し、また、中割の刈取のときは先端部２２を外側にすると、刈取部４の刈り幅を広くして確実に刈取り穀稈を分草作用幅内に入れられる（中割のときは条刈より１条多く刈取れることになる）。
しかして、分草体１１の反転中心の反転用軸３４は、正面視作用状態の分草体１１の後方に重合させて位置させているから、支持機構および反転機構等を分草体１１の後方に位置させことができ、穀稈が接触・絡むのを防止する。
また、分草体１１の回転方向は前記引起装置１２の引起ケース４４の外側（前記反転用軸３４を基準に反引起ラグ２５側）を回転移動するように構成しているから、引起装置１２が穀稈を引起しているときも、分草体１１は引起装置１２の引起ラグ２５の移動路に干渉せずに反転させられ、穀稈を引っかけず、穀稈の搬送姿勢を乱したり、穂を脱粒させるのを防止する。また、右側の引起装置１２の外側に位置するので、刈取り穀稈を見るのに視界を遮らず、前方視界を良好にする。
【００２３】
また、反転用アーム３０は側面視、前記引起装置１２の引起ラグ２５の移動軌跡と重ならないように配置しているから、分草体１１が分草作業状態のとき、引起ラグ２５に反転用アーム３０が干渉するのを防止する。
このとき、引起ラグ２５の移動路に対して反転用アーム３０は前後に配置可能であるが、前側に反転用アーム３０を位置させると、組み付け等が容易になって、好適である。
しかして、反転用軸３４は引起装置１２の引起ケース４４に対して略直交するように配置しているから、分草体１１は、反転させると、後側に斜めに倒れた状態に設けられている引起ケース４４に対して、反転用軸３４中心に最も分草体１１を遠くに離すことができ、引起装置１２および刈刃１４を畦２４に近づけられる。
また、反転用軸３４の位置は、反転させた分草体１１の前側に位置する部分が引起装置１２の引起ラグ２５の先端より後方に位置させると、刈取部４を畦２４に近づけられて好適である。
【００２４】
同様に、分草体１１を反転用軸３４中心に反転させたとき、取付用筒３３と軸受部材３６の取付部分が引起装置１２の引起ラグ２５の先端より上方に位置するように構成しているから、引起ラグ２５の作用への干渉を防止して好適である。
しかして、大型分草体１１a のうち、左右の中間位置にある中間分草体１１も反転するように構成しているから、刈取部４全体を前進させて畦２４に近づくことができる。
この場合、中間分草体１１は、左右の引起装置１２の引起ケース４４の間に中間分草杆２１を位置させ、該中間分草杆２１の上方にステー３５を設け、該ステー３５に軸受部材３６を固定し、軸受部材３６に反転用軸３４を回転のみ自在に挿入し、軸受部材３６より前側に突出する反転用軸３４に中間分草体１１の取付用筒３３を挿入固定して取付けているから、反転させた中間分草体１１は左右の引起ケース４４の間に位置し、中間の分草体１１でも左右を移動する穀稈に干渉するのを防止する。
【００２５】
しかして、分草体１１は、図１８のように、左回りの回り刈りするときは右側の分草体１１を反転させるから、畦２４に対して実質的な旋回半径を小にして畦２４に近づける。
また、図２０のように、反転用軸３４中心に分草体１１を回動させると、先端部２２を左右に移動させることができるから、先端部２２を内側にすると、刈取部４の刈り幅を狭くし、先端部２２を外側にすると、刈取部４の刈り幅を広くし、分草体１１の位置を左右移動させたのと同等の作用を奏する。
しかして、分草体１１は分草杆２１の先側に設けられているが、分草杆２１は、刈刃１４より先側の部分を、少なくとも刈刃１４と略同じ高さに位置させて、刈刃１４の前方に空間部４０を形成しているから、分草杆２１の下方に穀稈屑等が詰まるのを減少させる。
【００２６】
また、分草杆２１は前側に至るに従い高くなるように構成すると、空間部４０を大きく（広く）できて、一層穀稈等の詰まりが減少できて好適である。
しかして、反転用アーム３０の基部の横筒３１と左右方向の横軸３２とは、互いにキー３８とキー溝による結合で固定しているから、通常作業時は、分草体１１を所定前後位置に位置させるが、分草体１１に所定以上の圧力が係ると、キー３８とキー溝の何れか一方または両方が破損して横筒３１が横軸３２に対して回転し、分草体１１は横軸３２中心に前後方向に回動する。したがって、分草体１１およびその取付構成部品が破損変形するのを防止する。即ち、前進のときに分草体１１が圃場等に接触すると、後方回動し、後進のときに分草体１１が圃場等に接触すると、前方回動して破損変形するのを防止する。
また、図７の実施例では、分草体１１に所定以上の圧力が係ると、横軸３２側と爪体３８ａに対して横筒３１側の爪体３８ｂをバネ３８ｃの弾力に抗して回転し、分草体１１は横軸３２中心に前後方向に回動する。
【００２７】
【効果】
本発明は、左右に複数並設した最前方位置の分草体１１と、該分草体１１の後方に設けた引起装置１２と、刈刃１４とを有するものにおいて、前記分草体１１は、前後方向の反転用軸３４中心に、分草体１１の先端部２２が下方に分草面２３が上方に位置する分草作用位置と、分草面２３が下方に先端部２２が上方であって所定高さに位置する反転位置との間移動自在に構成し、前記反転用軸３４には手動操作により回転させる回転作動手段５１を設けたコンバインの刈取部としたものであるから、刈取部４を畦２４に近づけて、畦２４近傍の穀稈の刈取りを行え、しかも、手動操作により回転させるので安価にできる。
本発明は、前記回転作動手段５１は、刈取部４の任意の固定部または操縦部６に設けた操作レバー５７と機械的に連結したコンバインの刈取部としたものであるから、電気式のものに比し、故障が少ない。
本発明は、前記分草体１１は反転用アーム３０に取付けて分草体ユニットＹを構成し、分草体ユニットＹを、刈取部４の固定部側に設けた前記反転用軸３４に着脱自在かつ反転自在に取付けたコンバインの刈取部としたものであるから、組立ておよび着脱を容易にし、メンテナンスも容易にする。
本発明は、前記分草体１１は、前後方向の所定以上の荷重が係ると、前後方向回動するように構成したコンバインの刈取部としたものであるから、破損変形するのを防止する。
本発明は、前記反転用軸３４は、前記引起装置１２の引起ケース４４に対して略直交するように設けたコンバインの刈取部としたものであるから、最も効率よく分草体１１を後側に位置させられる。
本発明は、前記反転用軸３４は前後方向の分草杆２１の先側に回転のみ自在に設け、前記分草杆２１のうち前記刈刃１４より先側部分は、前側に至るに従い略同じ高さまたは高くなるように傾斜させて刈刃１４の前方の分草杆２１の下方に空間部４０を形成したコンバインの刈取部としたものであるから、分草杆２１の下方に穀稈屑等が詰まるのを減少させる。
【図面の簡単な説明】
【図１】    コンバインの側面図。
【図２】    コンバインの正面図。
【図３】    刈取部の概略側面図。
【図４】    同拡大側面図。
【図５】    同正面図。
【図６】    分草体の正面図。
【図７】    他の実施例の分草体の正面図。
【図８】    ユニット構成の一部を示すを分草体の正面図。
【図９】    同平面図。
【図１０】  取付位置を後側にした実施例の側面図。
【図１１】  刈取部の概略正面図。
【図１２】  作業者の視線を示す側面図。
【図１３】  作業者の視線を示す正面図。
【図１４】  刈取り作業を概略を示す平面図。
【図１５】  中間の引起装置の間の分草体の正面図。
【図１６】  同側面図。
【図１７】  分草体の回転作動手段の操作機構の一例を示す斜視図。
【図１８】  刈取り作業を概略を示す平面図。
【図１９】  同正面図。
【図２０】  同正面図。
【符号の説明】
４…刈取部、６…操縦部、１１…分草体、１２…引起装置、１３…掻込装置、１４…刈刃、１５…搬送装置、１６…スターホイル、１７…扱深さ調節装置、１８…引継搬送装置、１９…穀稈供給装置、２１…分草杆、２２…先端部、２３…分草面、２４…畦、２５…引起ラグ、３０…反転用アーム、３１…横筒、３２…横軸、３３…取付用筒、３４…反転用軸、３５…ステー、３６…軸受部材、３８ａ…爪体、３８ｂ…爪体、３８ｃ…バネ、４０…空間部、４４…引起ケース、４６…ローラ、４７…側部カバー、５１…回転作動手段、５２…入力ギヤ、５３…出力ギヤ、５４…ロッド、５５…アーム、５６…取付軸、５７…操作レバー、５８…フレーム、５９…ステー、６０…モータ。
【図１】
0004508373.tif 000002
【図２】
0004508373.tif 000003
【図３】
0004508373.tif 000004
【図４】
0004508373.tif 000005
【図５】
0004508373.tif 000006
【図６】
0004508373.tif 000007
【図７】
0004508373.tif 000008
【図８】
0004508373.tif 000009
【図９】
0004508373.tif 000010
【図１０】
0004508373.tif 000011
【図１１】
0004508373.tif 000012
【図１２】
0004508373.tif 000013
【図１３】
0004508373.tif 000014
【図１４】
0004508373.tif 000015
【図１５】
0004508373.tif 000016
【図１６】
0004508373.tif 000017
【図１７】
0004508373.tif 000018
【図１８】
0004508373.tif 000019
【図１９】
0004508373.tif 000020
【図２０】
0004508373.tif 000021